(57)【要約】【課題】  この発明は、容器本体を傾斜状態に安定して保持し、収納された彩色筆記具を取り出しやすくすることを課題とするものである。【解決手段】  この発明は、彩色筆記具１を並列させて収納できるようにした薄型の容器本体２に蓋体３を着脱自在に装着した平面長方形の彩色筆記具の容器４において、前記蓋体３の上壁５の内面の一方の長縁に沿って係止凸部６を設け、開蓋時に前記容器本体の底壁８の一方の長縁を前記凸部６に係止させ、他方の長縁側底壁を蓋体３の前記係止凸部の対向側の周壁１０の端縁に載置することにより、容器本体１を傾斜させて保持できるようにして彩色筆記具の容器を構成する。【選択図】 図１
2006224969.tif 000002
【特許請求の範囲】
【請求項１】
彩色筆記具を並列させて収納できるようにした薄型の容器本体に蓋体を着脱自在に装着した平面長方形の彩色筆記具の容器において、
前記蓋体の上壁内面の長縁方向に係止凸部を設け、
開蓋時に前記容器本体の一方の長縁を前記凸部に係止させ、他方の長縁側底部を蓋体の前記係止凸部の対向側の周壁端縁に載置することにより、容器本体を傾斜させて保持できるようにした、彩色筆記具の容器
【請求項２】
蓋体の上壁内面には、係止凸部に沿って収納される彩色筆記具の色彩名が横一列に表示された、彩色筆記具の容器
【請求項３】
容器本体の底壁長手方向両側に色彩の異なるゴムバンドが取り付けられ、蓋体の上面両側には前記ゴムバンドと同じ色彩が表された、請求項１又は２に記載の彩色筆記具の容器
【発明の詳細な説明】
【技術分野】
【０００１】
この発明は、クレヨンや色鉛筆などの彩色筆記具を収納するための容器に関するものである。
【背景技術】
【０００２】
彩色筆記具を並列させて収納できるようにした薄型の容器本体に蓋体を着脱自在に装着した平面長方形の彩色筆記具の容器に平面長方形とした彩色筆記具用の容器は広く用いられている。
従来、この種の容器に入った彩色筆記具を使用する場合、容器本体から外された蓋体は、容器本体と別の場所に置くか、蓋体を反転させて蓋体の中に容器本体をはめ込んで使用するのが通例である。
【０００３】
ところで、容器本体に収納された彩色筆記具を使用するためには、容器本体を傾斜させ、彩色筆記具を使用者側に向けて傾斜させると、彩色筆記具を取り出しやすい。
しかしながら、容器本体を傾斜させて保持できるようにした容器は知られていない。
【発明の開示】
【発明が解決しようとする課題】
【０００４】
この発明は、容器本体を傾斜状態に安定して保持し、収納された彩色筆記具を取り出しやすくすることを課題とするものである。請求項２、請求項３の発明は、上記に加えて蓋体の裏面に標示された色彩名と本体に収納された彩色筆記具との対応関係に齟齬が生じないようにすることを課題とするものである。
【課題を解決するための手段】
【０００５】
この発明は、彩色筆記具を並列させて収納できるようにした薄型の容器本体に蓋体を着脱自在に装着した平面長方形の彩色筆記具の容器において、前記蓋体の上壁内面の一方の長縁に沿って係止凸部を設け、開蓋時に前記容器本体の底壁の一方の長縁を前記凸部に係止させ、他方の長縁側底壁を蓋体の前記係止凸部の対向側の周壁端縁に載置することにより、容器本体を傾斜させて保持できるようにして彩色筆記具の容器を構成する。
請求項２の発明は、蓋体の上壁内面すなわち裏面には、係止凸部に沿って収納される彩色筆記具の色彩名を横一列に表示したものであり、請求項３の発明は、容器本体の底壁長手方向両側に異なる色彩のゴムバンドを取り付け、蓋体の上壁状面に前記ゴムバンドと同じ色彩を標示したものである。
【０００６】
前記係止凸部は、蓋体の上壁のほぼ全長に亘る凸条若しくは複数の突起として構成する。要は容器本体の底壁の長縁が係止し得ればよいのであり、蓋体の上壁の長縁両側に各１つの突起を設けることでも足りる。
【０００７】
前記前記彩色筆記具の色彩名の表示は、各色彩を表示する区画の横幅を筆記具の幅（太さ）と同等とし、蓋を開けたときに色彩名の表示と収納された筆記具の色彩とが上下に対応するようにする。
前記色彩名の表示は、文字による表示若しくは文字と色彩（着色）による表示の併用とする。
前記色彩名の表示と前記凸部の位置関係は、蓋体の上壁の長縁に沿って凸部を設けて、凸部に沿って凸部の対向長縁側に表示部を設ける配置と、上壁の長縁に沿って表示部を設け、表示部の縁に沿って表示部の対向長縁側に凸部を設ける配置（この場合凸部は蓋体上壁内面の中央寄りに位置することとなる）とが考えられる。後者の配置とすると、蓋を開けて蓋体を係止凸部に係止させた状態で色彩の表示部を見ることができる。
【発明の効果】
【０００８】
この発明によれば、蓋体の内面に係止凸部を設けたので、容器本体の底壁の縁を係止凸部に係止させ、底壁の他側を蓋体の周壁に載置することにより、容器本体を傾斜した状態で安定して保持することができる。したがって、彩色筆記具を容器本体から取り出しやすい。
そして、前記係止凸部によって、容器本体と蓋体との位置関係を特定することができる。すなわち、容器本体の筆記具の後端側を蓋体の係止凸部側に位置させることにより、容器本体と蓋体の位置関係が常に一定となる。
そこで、最初に蓋体に表された色彩名の標示取りの順序で容器本体に筆記具を収納すると、使用の都度、容器本体に収納された筆記具の配列と色彩名の表示とが自動的に対応することとなり、筆記具をしまう場合に順序が逆になったりすることがない。
また、容器本体の底壁両側に異なる色彩のゴムバンドを取り付け、蓋体の上面両側に前記ゴムバンドと同じ色彩を標示することにより、ゴムバンドの色彩と蓋体の色彩とを合わせることにより、このゴムバンドで閉蓋状態を保持することができ、加えて正しい向きで蓋体を本体に装着することができる。
【発明を実施するための最良の形態】
【０００９】
彩色筆記具であるクレヨン１を並列させて収納できるようにした薄型で厚紙製の容器本体２に厚紙製の蓋体３を着脱自在に装着して平面長方形の彩色筆記具の容器４が構成してある。前記蓋体４の上壁５の内面の一方の長縁に沿って、長縁のほぼ全長に亘り係止凸条６が設けてある。この係止凸条６は帯状の厚紙であって、蓋体の上壁内面に糊付けされている。
【００１０】
前記係止凸条６の図中上方には、前記係止凸条６に沿って、収納されるクレヨン１の色彩名表示７が横一列に表示してある。色彩名標示７の各表示区画の幅は、前記クレヨン１の幅（太さ）と同等としてあり、容器本体２と蓋体３とを上下に並べて位置させたときに、各色彩名表示７に対応した色彩のクレヨン１が上下に揃うようにしてある。
【００１１】
前記容器本体２の底壁８の長手方向両側には、異なる色彩のゴムバンド９、９ａがそれぞれ取り付けてある。他方蓋体３の上壁５の上面両側には正しい向きで装着したときに極バンド９側となる部分にゴムバンド９と同じ色彩の標示１２を、ゴムバンド９ａ側となる部分にゴムバンド９ａと同じ色彩の標示１２ａを施してある。
【００１２】
上記実施形態に示す容器４は、不使用時には容器本体２に蓋体３を被せてゴムバンド９、９ａで留める。
使用する際には、蓋体３を容器本体２から外し、内側を上に向けて机上におく。次いで容器本体２の一方の長縁側（クレヨン１の基端側）を蓋体３内へはめ込み、底壁８の長縁を前記係止凸部６に係止させ、底壁８の他側を蓋体３の前記係止凸条６の対向側周壁１０の上縁に載せる。
このようにすることにより、容器本体２を傾斜した状態で安定させて保持することができる。
【００１３】
しまうときには、容器本体２をスライドさせて蓋体３と図１中上下に並べる。次いで蓋体３の色彩名表示７にしたがって、対応する色彩のクレヨンを色彩名表示７の上の位置に収納する。
上記において、蓋体３に容器本体２を傾斜させて保持するためには、係止凸条６を手前側にして蓋体３を机上におかなければならない。そして、しまうときには容器本体２をスライドさせて蓋体３の上方に並べる。したがって、使用の前後に亘り容器本体と蓋体との位置関係（向き）は常に一定であり、蓋体３の色彩名表示７と容器本体２に収納されたクレヨン１の対応位置関係も一定となる。
そのために、クレヨンをしまうとき、色彩表示７の順序通りに間違いなくしまうことができる。
また、容器本体２と蓋体３の向きはゴムバンド９，９ａと色彩標示１２，１２ａとの対応関係でも識別することができるので、使用中に蓋体の向きを変更した場合であっても、正しい位置関係で蓋体３を容器本体２に装着することができる。
【００１４】
図３，図４は別の実施形態であり、蓋体３の長縁に沿って色彩名表示７を表示し、色彩名表示７よりも中央側に係止凸部１１を設けたものである。前記係止凸部は厚紙であり蓋体３の両側に各１箇所設けてある。
【００１５】
この実施形態においては、蓋体３の係止凸部１１に容器本体２の長縁を係止させたとき、容器本体２よりも手前に色彩名表示７が表れる。したがって、クレヨンを容器本体から取り出すときに色彩名表示７を確認することができるので、色彩を覚えやすい。
【産業上の利用可能性】
【００１６】
この発明は、クレヨンなど彩色筆記具を容器から取り出しやすく、蓋体に色彩名表示をした場合には色彩名表示に従って彩色筆記具を容器に収納しやすいものであり、幼児向けの彩色筆記具の容器として好適なものである。
【図面の簡単な説明】
【００１７】
【図１】この発明実施形態の分解斜視図
【図２】同じく容器本体を蓋体の係止凸条に係止させた状態の斜視図
【図３】同じく別の実施形態の蓋体の斜視図
【図４】同じく容器本体を蓋体の係止凸部に係止させた状態の斜視図
【符号の説明】
【００１８】
１    クレヨン
２    容器本体
３    蓋体
４    容器
５    上壁
６    係止凸条
７    色彩名表示
８    底壁
９、９ａ    ゴムバンド
１０  周壁
１１  係止凸部
１２，１２ａ  色彩標示
【図１】
2006224969.tif 000003
【図２】
2006224969.tif 000004
【図３】
2006224969.tif 000005
【図４】
2006224969.tif 000006